(57)【要約】【課題】長尺の柄を持つ高枝切り鋸において柄が数メートルの長さになるものがある。そのような高枝切りのこぎりの重量は数キログラムに達する。このような重量のある工具を使用する際には作業者にかかる負担は相当増大する。又、剪定しようとする枝が細い場合には剪定鋸の往復運動によって揺れて作業性が著しく損なわれる。【解決手段】高枝切り鋸のポール内に弾性部材を内蔵させ、その弾性部材の長尺方向への拡開する方向に付勢する力を利用して鋸の切断作業の負担を軽減させる。又、高枝切り鋸の底部を地面に接地した状態での剪定が可能となったので安定した剪定作業が行われる。【選択図】図３
2011120564.tif 000002
【特許請求の範囲】
【請求項１】
基端部ポールに第２ポールを挿入、かつ両ポールの連結部分は固定せずに長尺方向に自在にスライド可能にした連結ポールを備え、その基端部ポール内には弾性部材を内蔵させ、基端部ポール内において弾性部材の上部と第２ポールの底面が接するように配置された高枝切り鋸用の長尺柄。
【請求項２】
基端部ポール内に第２ポールが基端部ポール内を長尺方向に摺動する距離を制限する第２ポール保持支柱を備えたことを特徴とする請求項１の高枝切り鋸用の長尺柄。
【発明の詳細な説明】
【技術分野】
【０００１】本発明は、長尺柄の先端部に鋸を装着した高木の枝を剪定するための高枝切り鋸に関するものである。
【背景技術】
【０００２】近年、長尺柄の先端に鋸を取り付けた高枝切り鋸が広く市販されている。高木の剪定作業をする場合に脚立やハシゴを使っての作業が危険であるので地に足をつけて安定した地上から作業をしたいという要望に応えたのと、実際に脚立やハシゴの使用が難しい森林内などの作業環境の悪い場所においての剪定作業を可能にした高枝切り鋸は現在広く使われている。更に、より高木の枝切り作業をしたいという作業者からの要望が高まるにつれ、年々柄の長さを長くした高枝切り鋸が市販されるようになった。多くの場合、長尺の高枝切り鋸は運搬に支障をきたし、使用しないときの収納にも不都合をきたす。よって、一般には高枝切り鋸の長尺柄にはスライド式伸縮自在の２段式あるいは３段式ポールが広く使用さている。これにより収納時には短く、使用時には適当な長さに伸ばして使用できる。
【発明の概要】
【発明が解決しようとする課題】
【０００３】長い高枝切鋸では最長に伸ばしたときに５メートルを越える製品も市販されている。又、高枝切り鋸の長尺柄には総重量をできるだけ抑えるために主にアルミニュームやファイバーグラス等の軽量素材が用いられている。しかし、軽量のアルミニューム等をもってしても長尺柄の長さが数メートルになれば鋸をふくむ高枝切り鋸の総重量は数キログラムにもなる。高木の枝を数本剪定する程度では問題なく作業できるが、数キログラムの重量のある高枝切り鋸を使っての長時間の剪定作業は大きな苦痛をともなう。【０００４】例えば５メートルの長尺柄の先端に高枝切り鋸を備えた高枝切り鋸の場合、その総重量は３キログラムを超える。作業者は約５メートル先の長い高枝切り鋸の鋸を剪定しようとする高木の枝に正しく当てがい鋸を往復運動させ剪定するのであるが、保持している作業者の手元に掛かる重量負担は相当なものになる。又、剪定する枝が充分に太い場合には枝の揺れが少ないので大きな苦労をせずに剪定可能であるが、枝が細い場合には鋸の往復運動につれて枝が揺れる。そのために手元が不安定になってうまく剪定出来ない。本発明はこのような作業者にかかる高枝切り鋸の重量負担を軽減させ、同時に剪定の際の揺れを最小限にとどめることにより剪定作業を容易にするために考案された。
【課題を解決するための手段】
【０００５】剪定作業中に高枝切り鋸を保持せずに地面に立て、先端の鋸を剪定する枝に立てかけた状態で使用できるように考案したものである。高枝切り鋸を剪定する枝に立てかけた状態で鋸による切断に必要な長尺方向への往復ストローク運動を可能にする為に長尺柄の基端部ポールとそのポール内に挿入された第２ポールは自在に長尺方向に摺動可能になっている。又、基端部のポール内部には拡開する方向に付勢する弾性部材が内臓されており、作業者が第２ポールを押し下げることにより先端部の鋸は下方への切断ストロークをスタートさせる。この時に第２ポールの底部にある蓋部分が基端部ポール内の弾性部材を圧縮する方向に作用する。下方への切断ストロークは基端部ポール内の弾性部材の弾性限界付近に到達したときに終了し、その後は弾性部材の復元力に任せて第２ポールを元の位置に戻すことで鋸の往復ストロークは完結される。この一連の往復運動を繰り返すことで鋸は枝を切断する。【０００６】作業者は第２ポールを押し下げるだけで鋸の往復ストロークをスタートできる。往ストロークは作業者が第２ポールを下方に押し下げることで行い。復ストローク時には基端部ポール内の弾性部材の拡開する力が付勢されることにより作業者は最小限の力で第２ポールを押し上げることができる。又、長尺柄の基端部底面は地面に突き刺さった状態になるため高枝切り鋸は非常に安定した状態になり剪定作業が著しく且つ容易に行うことが可能となる。
【発明の効果】
【０００７】作業者は重量のある高枝切り鋸の全重量を持ち上げることなく、剪定作業に必要な鋸の往復運動を第２ポールの上下動をさせることで簡単に行うことが出来る。剪定に必要な鋸を押しそして引くという往復ストロークの内、鋸を引く際には作業員が第２ポールを押し下げることで行う。この時には高枝切り鋸の重量が第２ポールを押し下げる方向に補助的な力として加わる。高枝切り鋸の重量を逆に利用できる利点である。【０００８】第２ポールが弾性部材の圧縮限界に到達したときに、今度は鋸を押し上げ往復ストロークの復ストロークがスタートする。この時には第２ポールは基端部内の弾性部材の拡開する力が付勢されるので、作業者は最小の力で第２ポールを元の位置に引き上げることが可能となる。よって、作業者の力は高枝切り鋸を保持する力で浪費されることなく、作業者の力は全て枝を切るという本来の目的に使われる。これにより作業者の負担は大幅に軽減される。
【図面の簡単な説明】
【０００９】
【図１】本発明を実施した高枝切り鋸使用例の一例の図である。
【図２】本発明を実施した高枝切り鋸の各部位をしめす図である。
【図３】本発明の実施例に係る基端部ポール及び第２ポールの一部縦断面図である。
【図４】本発明の実施例に係る基端部ポール底部の拡大縦断面図である。
【図５】本発明の実施例に係る基端部ポールと第２ポールの内部接触部分の拡大縦断面図である。
【発明を実施するための形態】
【００１０】高枝切り鋸の形態としては図２に示すように基端部ポール１に第２ポール２を挿入し第２ポール２に第３ポール３を挿入するという形で複数ポールがそれぞれスライドできるよう構成された長尺の柄の先端部に鋸５を取り付けたものが一般的である。それぞれのポール連結部分にはポール長を希望の長さ位置で固定できるよう金具や成型プラスチック部品にて止める工夫がなされている。但し、本発明ではこの連結部分の内基端部ポール１と第２ポール２の連結部分を固定せずに長尺方向にスライド可能な状態で使用する。更に、本発明では基端部ポール１内に圧縮コイルスプリング等の弾性部材１ｂを内蔵させる。
【００１１】第２ポール２が基端部ポール１内を長尺方向に自在のストロークすることを可能にするために第２ポール２と基端部ポール１内の連結部分は固定されない。この為、第２ポール２が基端部ポール１から抜けてしまう恐れがある。本発明ではこの抜けを防止する目的で基端部ポール１下部開口部、及び第２ポール２下部開口部にそれぞれ蓋を取り付けて、この二つの蓋を第２ポール保持支柱で繋ぐことにより第２ポール２の長尺方向へのスライド距離を制限している。
【００１２】第２ポールのスライド可能な距離であるが、これは基端部ポール１内に具備された弾性部材１ｂの圧縮可能な距離により決定される。先端部の鋸５の刃渡りが約３００ミリメートルから４５０ミリメートル程度であることを考慮して、ストローク長が２００ミリメートルから４００ミリメートル得られる程度の弾性部材１ｂの使用が望まれる。
【産業上の利用可能性】
【００１３】環境破壊の問題が世界中で広がりを見せる中、森林を守ることがかつてより大きな課題として認識されるようになっている。その森林を守る為には時宜を得た適切な木の剪定作業が不可欠であるが、高木が生い茂る森林内での剪定作業は作業者に大きな負担をかける。時に脚立やハシゴなどを使用する場面では、高所での作業になるので不安定な森林内では極めて危険な作業であるといわざるを得ない。長尺柄を備えた高枝切り鋸は地面からでも剪定が可能となるので非常に有用な剪定工具と言える。しかしながら長柄であるが故にその重量は数キログラムとなる。この重たい高枝切り鋸を保持した状態で鋸を引くのであるが、作業者へはかなりの負担となる。【００１４】本発明は、高枝切り鋸を地面に立てた状態で使用できるため作業者への重量負担は大幅に軽減される。しかも、基端部が地面に接地しているので高枝切り鋸が非常に安定した状態になる。従来は高枝切り鋸を両手でかかえての作業を強いられていたが、本発明により高枝切り鋸を保持する負担から開放され、作業者は鋸の剪定に集中して作業することが可能になり、作業効率が飛躍的に向上する。
【符号の説明】
【００１５】１．基端部ポール
２．第２ポール
３．第３ポール
４．先端部ポール
５．鋸
１ａ．基端部ポール蓋
１ｂ．弾性部材
１ｃ．第２ポール保持支柱
２ａ．第２ポール蓋
２ｂ．支柱止め金具
【図１】
2011120564.tif 000003
【図２】
2011120564.tif 000004
【図３】
2011120564.tif 000005
【図４】
2011120564.tif 000006
【図５】
2011120564.tif 000007